(57)【要約】【課題】  液体或いは気体等による浮力調整を行う必要がなく、沖合等においても使用が可能な浮沈式生簀を提供すること。【解決手段】  生簀用網体２６を具備する基本フレーム１０が水平に浮かぶように複数の浮力体１２を基本フレームに沿って設置し、基本フレームに沿う水平バランスの取れる複数個所にワイヤ巻取機１３を固設すると共に、各ワイヤ巻取機に対応する水底２８にアンカー１７を設置し、各ワイヤ巻取機１３と対応する各アンカー１７とをワイヤ１６にて接続する。各ワイヤ巻取機１３を正方向に同時に回転駆動して上記各ワイヤ１６を同時に巻き取ることにより、基本フレーム１０を水平状態を維持したまま浮力体１２の浮力に抗してワイヤ巻取機共々水中に沈下し、ワイヤ巻取機を逆方向に回転駆動して各ワイヤ１６を同時に引き出すことにより、基本フレーム１０を水平状態を維持したまま浮力体１２の浮力により浮上し得るように構成する。【選択図】  図２
2014082997.tif 000002
【特許請求の範囲】
【請求項１】
枠体により構成された基本フレームと、上記基本フレーム下方に取り付けられた生簀用網体又は複数の貝類養殖用線状体と、上記基本フレームに設けられた浮力体とを有し、上記基本フレームを上記浮力体の浮力にて水上に浮かべた状態で、上記基本フレームと水底に固定されたアンカーとをワイヤにて接続した浮沈式生簀において、
上記基本フレームを環状に構成すると共に、上記基本フレームが水面上に水平に浮かぶように複数の浮力体を上記基本フレームに沿って均等に設置し、
上記基本フレームに沿う水平バランスの取れる複数個所に複数のワイヤ巻取機を固設すると共に、上記アンカーを上記各ワイヤ巻取機の設置位置に対応する水底に設置し、
上記各ワイヤ巻取機と対応する上記各アンカーとを各々ワイヤにて接続すると共に、上記各ワイヤ巻取機にて上記各ワイヤを巻き取り又は引き出し可能に構成し、
上記各ワイヤ巻取機を正方向に同時に回転駆動して上記各ワイヤを同時に巻き取ることにより、上記基本フレームをその水平状態を維持したまま上記浮力体の浮力に抗して上記ワイヤ巻取機共々水中に沈下し得るように構成し、
上記ワイヤ巻取機を逆方向に同時に回転駆動して上記各ワイヤを同時に引き出すことにより、上記基本フレームを水平状態を維持したまま上記浮力体の浮力により浮上し得るように構成したものであることを特徴とする浮沈式生簀。
【請求項２】
船上又は陸上に発電機及び制御部を設置し、上記発電機及び制御部と上記各ワイヤ巻取機とを電気ケーブルにて電気的に接続し、
上記制御部からの駆動又は停止信号により、上記各ワイヤ巻取機を同時に駆動又は停止し得るように構成したものであることを特徴とする請求項１記載の浮沈式生簀。
【請求項３】
枠体により構成された基本フレームと、上記基本フレーム下方に取り付けられた生簀用網体又は複数の貝類養殖用線状体と、上記基本フレームに設けられた浮力体とを有し、上記基本フレームを上記浮力体の浮力にて水上に浮かべた状態で、上記基本フレームと水底に固定されたアンカーとをワイヤにて接続した浮沈式生簀において、
上記基本フレームを環状に構成すると共に、上記基本フレームが水面上に水平に浮かぶように複数の浮力体を上記基本フレームに沿って均等に設置し、
上記基本フレームの中心位置に単一のワイヤ巻取機を支持フレームにて固設すると共に、上記ワイヤ巻取機に対応する単一のアンカーを上記巻取機の設置位置の真下の水底に設置し、
上記ワイヤ巻取機と上記アンカーとを単一のワイヤにて接続すると共に、上記ワイヤ巻取機にて上記ワイヤを巻き取り又は引き出し可能に構成し、
上記ワイヤ巻取機を正方向に回転駆動して上記ワイヤを巻き取ることにより、上記基本フレームをその水平状態を維持したまま上記浮力体の浮力に抗して上記ワイヤ巻取機共々水中に沈下し得るように構成し、
上記ワイヤ巻取機を逆方向に回転駆動して上記ワイヤを引き出すことにより、上記基本フレームを水平状態を維持したまま上記浮力体の浮力により浮上し得るように構成したものであることを特徴とする浮沈式生簀。
【請求項４】
船上又は陸上に発電機及び制御部を設置し、上記発電機及び制御部と上記ワイヤ巻取機とを電気ケーブルにて電気的に接続し、
上記制御部からの駆動又は停止信号により、上記ワイヤ巻取機を駆動又は停止し得るように構成したものであることを特徴とする請求項３記載の浮沈式生簀。
【請求項５】
水上中継ボックスを設け、上記ワイヤ巻取機からの電気ケーブルを上記水上中継ボックスに接続可能とし、
かつ上記船上又は陸上の発電機及び制御部と上記水上中継ボックスとを電気ケーブルにて接続し得るように構成したものであることを特徴とする請求項２又は４に記載の浮沈式生簀。
【請求項６】
上記ワイヤ巻取機は防水ケース内に収納されているものであることを特徴とする請求項１〜５の何れかに記載の浮沈式生簀。
【発明の詳細な説明】
【技術分野】
【０００１】
本発明は、魚介類の養殖等に用いられる浮沈式生簀に関するものである。
【背景技術】
【０００２】
従来、この種の浮沈式生簀は、特許文献１に示すように、浮子によって浮いた生簀枠の中央に浮力体を設け、当該浮力体に給排水管と給排気管を設け、当該浮力体に給水をすることにより、当該浮力体の余剰浮力の低下によって生簀枠を海中に沈め、上記浮力体への給気及び排水によって浮力体に余剰浮力を与え、上記生簀枠を浮上させる構成である。
【０００３】
また、特許文献２に示すように、常時海上に浮かぶ主浮力体に鋼製の生簀本体をワイヤにて接続して当該生簀本体を海中に沈め、上記主浮力体上に固定された巻取機によって上記ワイヤを巻き取ることで上記生簀本体を浮上又は沈下させる構成である。
【先行技術文献】
【特許文献】
【０００４】
【特許文献１】特公平３−２５１３６
【特許文献２】実開昭６４−３２０６０
【発明の概要】
【発明が解決しようとする課題】
【０００５】
ところで、特許文献１の生簀は、浮力体への給排水及び気体の給排気に係る構造が複雑であり、かつ液体と気体の供給排出により浮力体の浮力を制御することが難しく、生簀枠を円滑に浮沈させ難いという課題があった。
【０００６】
特許文献２の生簀は、鋼製の重い生簀本体を海中に沈め、かつ浮沈させるために大型の主浮力体が必要であるし、主浮力体は常時海面上に浮かんでいるので、主浮力体の揺れが生簀本体に伝達し、使用エリアが波浪の安定した湾内等に限定され、波浪の激しい気象条件或いは沖合等においては、使用し難いという課題がある。
【０００７】
本発明は上記従来の課題に鑑みてなされたものであり、液体或いは気体等による浮力調整を行う必要がなく、沖合等においても使用が可能な浮沈式生簀を提供することを目的とする。
【課題を解決するための手段】
【０００８】
上記の目的を達成するため本発明は、
第１に、枠体により構成された基本フレームと、上記基本フレーム下方に取り付けられた生簀用網体又は複数の貝類養殖用線状体と、上記基本フレームに設けられた浮力体とを有し、上記基本フレームを上記浮力体の浮力にて水上に浮かべた状態で、上記基本フレームと水底に固定されたアンカーとをワイヤにて接続した浮沈式生簀において、上記基本フレームを環状に構成すると共に、上記基本フレームが水面上に水平に浮かぶように複数の浮力体を上記基本フレームに沿って均等に設置し、上記基本フレームに沿う水平バランスの取れる複数個所に複数のワイヤ巻取機を固設すると共に、上記アンカーを上記各ワイヤ巻取機の設置位置に対応する水底に設置し、上記各ワイヤ巻取機と対応する上記各アンカーとを各々ワイヤにて接続すると共に、上記各ワイヤ巻取機にて上記各ワイヤを巻き取り又は引き出し可能に構成し、上記各ワイヤ巻取機を正方向に同時に回転駆動して上記各ワイヤを同時に巻き取ることにより、上記基本フレームをその水平状態を維持したまま上記浮力体の浮力に抗して上記ワイヤ巻取機共々水中に沈下し得るように構成し、上記ワイヤ巻取機を逆方向に同時に回転駆動して上記各ワイヤを同時に引き出すことにより、上記基本フレームを水平状態を維持したまま上記浮力体の浮力により浮上し得るように構成したものであることを特徴とする浮沈式生簀により構成される。
【０００９】
上記水底とは例えば海底（２８）である。上記生簀用網体は例えば網（２６）、貝類養殖用線状体は例えば紐（３１）により構成することができる。上記浮力体は例えば発砲スチロール製のフロート（１２）により構成することができる。上記ワイヤ巻取機は例えば電動ウインチ（１３）により構成することができる。このように構成すると、ワイヤ巻取機を正方向に駆動することにより、例えば海面上に浮かぶ浮沈式生簀をワイヤ巻取機共々を水中に円滑に沈下させることができるし、ワイヤ巻取機を逆方向に駆動することにより、生簀を浮上させることができ、液体或いは気体による浮力調整を行うことなく、簡単な構造により生簀を円滑に浮沈させることができる。
【００１０】
第２に、船上又は陸上に発電機及び制御部を設置し、上記発電機及び制御部と上記各ワイヤ巻取機とを電気ケーブルにて電気的に接続し、上記制御部からの駆動又は停止信号により、上記各ワイヤ巻取機を同時に駆動又は停止し得るように構成したものであることを特徴とする上記第１記載の浮沈式生簀により構成される。
【００１１】
上記制御部は例えば操作盤（２３）により構成することができる。上記電気ケーブルは例えば接続ケーブル（２５）、水中ケーブル（２０）、接続ケーブル（１９）等により構成することができる。このように構成すると、電気ケーブルを介しての電気的な制御により、遠隔地（船又は陸上）からワイヤ巻取機を容易に制御することができ、例えば複数の浮沈式生簀を海上に設けて、これらの複数の浮沈式生簀を一括して制御すること等を容易に行うことができる。
【００１２】
第３に、枠体により構成された基本フレームと、上記基本フレーム下方に取り付けられた生簀用網体又は複数の貝類養殖用線状体と、上記基本フレームに設けられた浮力体とを有し、上記基本フレームを上記浮力体の浮力にて水上に浮かべた状態で、上記基本フレームと水底に固定されたアンカーとをワイヤにて接続した浮沈式生簀において、上記基本フレームを環状に構成すると共に、上記基本フレームが水面上に水平に浮かぶように複数の浮力体を上記基本フレームに沿って均等に設置し、上記基本フレームの中心位置に単一のワイヤ巻取機を支持フレームにて固設すると共に、上記ワイヤ巻取機に対応する単一のアンカーを上記巻取機の設置位置の真下の水底に設置し、上記ワイヤ巻取機と上記アンカーとを単一のワイヤにて接続すると共に、上記ワイヤ巻取機にて上記ワイヤを巻き取り又は引き出し可能に構成し、上記ワイヤ巻取機を正方向に回転駆動して上記ワイヤを巻き取ることにより、上記基本フレームをその水平状態を維持したまま上記浮力体の浮力に抗して上記ワイヤ巻取機共々水中に沈下し得るように構成し、上記ワイヤ巻取機を逆方向に回転駆動して上記ワイヤを引き出すことにより、上記基本フレームを水平状態を維持したまま上記浮力体の浮力により浮上し得るように構成したものであることを特徴とする浮沈式生簀により構成される。
【００１３】
上記中心位置とは、例えば基本フレームの重心位置をいう。
このように構成すると、液体或いは気体による浮力調整を行うことなく浮沈式生簀を円滑に浮沈させることができるし、単一のワイヤ巻取機によって生簀の浮沈が可能であるので、構造を簡略化することができる。
【００１４】
第４に、船上又は陸上に発電機及び制御部を設置し、上記発電機及び制御部と上記ワイヤ巻取機とを電気ケーブルにて電気的に接続し、上記制御部からの駆動又は停止信号により、上記ワイヤ巻取機を駆動又は停止し得るように構成したものであることを特徴とする上記第３記載の浮沈式生簀により構成される。
【００１５】
このように構成すると、電気ケーブルを介しての電気的な制御により、遠隔地（船又は陸上）からワイヤ巻取機を容易に制御することができる。
【００１６】
第５に、水上中継ボックスを設け、上記ワイヤ巻取機からの電気ケーブルを上記水上中継ボックスに接続可能とし、かつ上記船上又は陸上の発電機及び制御部と上記水上中継ボックスとを電気ケーブルにて接続し得るように構成したものであることを特徴とする上記第２又は第４に記載の浮沈式生簀により構成される。
【００１７】
このように構成すると、例えば船上の発電機と海上に浮上するワイヤ巻取機との電気的接続を水上中継ボックスを介して容易に行うことができる。
【００１８】
第６に、上記ワイヤ巻取機は防水ケース内に収納されているものであることを特徴とする上記第１〜５の何れかに記載の浮沈式生簀により構成される。
【００１９】
このように構成すると、ワイヤ巻取機共々基本フレームを問題なく例えば海中に沈下させることができる。
【発明の効果】
【００２０】
本発明は以上のように、ワイヤ巻取機を正方向に駆動することにより、例えば海面上に浮かぶ浮沈式生簀を浮力体の浮力に抗してワイヤ巻取機共々海中に円滑に沈下させることができるし、ワイヤ巻取機を逆方向に駆動することにより、浮力体の浮力によって生簀を浮上させることができ、液体或いは気体による浮力調整を行うことなく、簡単な構造により生簀を円滑に浮沈させることができる。
【００２１】
また、電気的な制御により、遠隔地（船又は陸上）からワイヤ巻取機を容易に駆動制御することができ、例えば複数の浮沈式生簀を海上に設けて、これらの複数の浮沈式生簀を一括して浮沈制御する等の集中制御を行うこともできる。
【００２２】
また、液体或いは気体による浮力調整を行うことなく生簀を円滑に浮沈させることができるし、単一のワイヤ巻取機によって生簀の浮沈が可能であるので、構造を非常に簡略化することができる。
【００２３】
また、例えば船上の発電機と海上に浮上するワイヤ巻取機との電気的接続を水上中継ボックスを介して容易に行うことができる。
【図面の簡単な説明】
【００２４】
【図１】本発明に係る浮沈式生簀の平面図である。
【図２】同上生簀の側面図である。
【図３】図１のＸ−Ｘ線断面図である。
【図４】同上生簀を海上に設置した状態の側面図である。
【図５】同上生簀を海上に設置した状態の生簀沈下状態の側面図である。
【図６】同上生簀を海上に設置した状態の斜視図である。
【図７】（ａ）は同上生簀の電気的構成を示すブロック図、（ｂ）は浮沈式生簀を複数設置した場合の制御系の電気的構成を示すブロック図である。
【図８】同上生簀の他の実施形態の平面図である。
【図９】同上生簀の他の実施形態の側面図である。
【発明を実施するための形態】
【００２５】
以下、本発明における浮沈式生簀について詳細に説明する。
【００２６】
図１、図２、及び図３に示すように、内周側の円形フレーム１と、同径の円形フレーム２とを上下に所定間隔Ｔを以って同心に配置し、これらのフレーム１，２の円周に沿う複数か所において、上下方向の垂直棒状部材３にて上記フレーム１，２を接続し、かつ上記下側のフレーム２と同一水準位置に、該フレーム２より直径大の外周側の外周円形フレーム４を同心に配置し、かつ上記垂直棒状部材３の設置位置において、半径方向の水平棒状部材５にて上記円形フレーム２と上記外周円形フレーム４とを同心に接続し、さらに上記垂直棒状部材３の設置個所において、上記上側の円形フレーム１から上記外周円形フレーム４に向けて傾斜棒状部材６にて上記円形フレーム１と上記外周円形フレーム４とを接続し、トラス構造による高強度の円環状の基本フレーム１０を形成する。尚、上記各フレーム１，２，４等の基本フレーム１０の構成素材は耐腐食性の点で亜鉛メッキ鋼管を使用することが好ましい。
【００２７】
上記下側の円形フレーム２と上記外周円形フレーム４との間において、円周に沿う９か所に、各々一対のフロート保持部材１１，１１を両フレーム２，４間に半径方向に接続固定し、上記各フロート保持部材１１，１１の下方に発砲スチロール製のフロート１２（９個）を各々接続固定する。
【００２８】
上記フロート１２は、発砲スチロールを円筒状に加工したものであり、これらのフロート１２を上記基本フレーム１０の外周に一定角度（４０度毎）を以って均等に配置することにより、上記基本フレーム１０を海上にバランスよく水平に浮上させることができる。即ち、上記基本フレーム１０が水面上に水平に浮かぶように複数のフロート（浮力体）１２を上記基本フレーム１０に沿って均等に設置する。
【００２９】
このフロート１２は発砲スチロール製に限らず、内部に発砲体を充填したフロート、内部に気体を密閉した樹脂製の中空フロート等、各種の浮力体を使用することができる。但し、上記基本フレーム１０に配置される各フロート１２は同一種（同形同大）のもので、各フロート１２が有する浮力が同一のものを使用する。
【００３０】
１３は上記円形フレーム２と上記外周円形フレーム４との間に固定された電動ウインチであり、上記外周円形フレーム４の周方向に一定角度毎の３か所、即ち、１２０度の角度差を持った３か所に固定されている。即ち、上記基本フレーム１０に沿って当該フレーム１０の水平バランスの取れる複数個所（３か所）に複数の電動ウインチ（ワイヤ巻取機）１３を固設する。
【００３１】
これらの電動ウインチ１３は、それらの設置個所において、上記円形フレーム２と上記外周円形フレーム４との間に固定底板１３’を掛け渡して両フレーム２，４に固定されており、これらの固定底板１３’上に上記各電動ウインチ１３が各々固設されている。
【００３２】
これらの電動ウインチ１３は、正逆回転可能の電動モータ１４と、該電動モータ１４のプーリに接続されたワイヤ巻取部１５を有しており、上記ワイヤ巻取部１５にはワイヤ１６の一端が接続固定されており、当該ワイヤ１６の他端は、海底２８に設置されたアンカー１７に接続固定されている。
【００３３】
上記アンカー１７は例えばコンクリート製の頭部を水平にカットした四角錐形の重量物であり、海底２８に大径部を下に向けて載置可能な重さを有するものである。これらのアンカー１７は、上記電動ウインチ１３の設置個所に対応する海底２８の３か所に上記外周円形フレーム４と同心の仮想円Ｐに沿って１２０度の角度差を以って各々載置固定されている。
【００３４】
そして、これらアンカー１７の上面にはワイヤ固定用リング１８が各々固定されており、当該リング１８と上記ワイヤ巻取部１５との間に、各々ワイヤ１６を接続固定する。そして、上記ワイヤ巻取部１５を正方向に回転することで、上記各ワイヤ１６を当該各巻取部１５にて巻き取り可能に構成する。また、上記各ワイヤ巻取部１５を逆方向に回転することで、上記各ワイヤ１６を各ワイヤ巻取部１５から引き出し可能に構成する。
【００３５】
上記各ワイヤ巻取部１５には周知のラチェット機構が設けられており、上記ワイヤ１６を巻き取る際、上記ワイヤ巻取部１５は、巻き取り方向（正方向）に回転するが、逆方向には歯止めによってロックが掛かかるように構成されている。従って、ワイヤ１６を所定距離巻き取った時点で電動ウインチ１３の駆動を停止することで、上記ワイヤ巻取部１５の回転をロックし得るように構成している。また、上記電動ウインチ１３を逆方向に駆動するときは、上記ラチェット機構の歯止めによるロックが解除され、上記ワイヤ巻取部１５を逆方向に回転して上記ワイヤ１６を引き出し可能とする。
【００３６】
上記各電動ウインチ１３と上記各アンカー１７間の３本のワイヤ１６の長さは同一とし、上記電動ウインチ１３の非動作状態において、上記各フロート１２の浮力により、上記各ワイヤ１６が伸長状態となって上記基本フレーム１０が水平に海上に浮かぶように構成されている。そして、上記３台の電動ウインチ１３を同時に駆動して、同一速度で各電動モータ１４を同一方向（正方向）に回転駆動することにより、上記３本の各ワイヤ１６を同じ速度で各ワイヤ巻取部１５に同一方向に同時に巻き取り可能に構成されている。
【００３７】
このように上記３本のワイヤ１６を上記３か所の電動ウインチ１３にて同時に巻き取ることにより、上記基本フレーム１０をその水平状態を保持したまま、上記フロート１２の浮力に抗して、各電動ウインチ１３共々バランス良く海中に沈めることができる。
【００３８】
また、海中に沈めた状態の上記基本フレーム１０には上記各フロート１２の浮力が常時作用しているため、上記電動ウインチ１３を同時に同一速度で逆方向に回転することにより、上記各ワイヤ１６を上記各ワイヤ巻取部１５から同時に引き出して、上記基本フレーム１０をその水平状態を維持したまま、上記各フロート１２の浮力によって海上に浮上させることができる。
【００３９】
かかる基本フレーム１０の浮上時においても、当該基本フレーム１０にはフロート１２の浮力が常時均等に作用しているので、上記引き出された各ワイヤ１６は伸張状態を維持しながら、上記基本フレーム１０をバランスよく水平に浮上させることができる。
【００４０】
上記各電動ウインチ１３の駆動部（モータ、減速機、ワイヤ巻取部等）は完全防水、防塩の筺体（防水ケース）内に収納されており、上記各電動ウインチ１３自体が海中に沈んでも何ら問題ないように構成されている。また、各電動ウインチ１３の減速ギアの潤滑剤は水溶性で無毒無害のグリコール系のものを使用することが好ましい。
【００４１】
上記各電動ウインチ１３は、接続ケーブル（電気ケーブル）１９によって相互に電気的に接続され（図４、図７参照）、当該ケーブル１９を水中ケーブル（電気ケーブル）２０に接続し、当該水中ケーブル２０は海上に浮かぶ水上中継ボックス２１に接続されている。
【００４２】
そして、上記水上中継ボックス２１と海上の船２２又は陸２２’上の制御室２２”上の操作盤２３とを接続ケーブル（電気ケーブル）２５で接続し、上記船２２上又は上記制御室２２”の発電機２４と上記操作盤２３とを電気的に接続する。これにより、上記船２２上又は上記制御室２２”の発電機２４を駆動し、上記操作盤２３を介して電源を上記接続ケーブル２５、水上中継ボックス２１、水中ケーブル２０、接続ケーブル１９を介して、上記３台の各電動ウインチ１３に同時に供給し、３台の各電動ウインチ１３を同時に一定速度で回転駆動し得るように構成している。上記水上中継ボックス２１は海に浮かぶようにフロートを具備しており、上記接続ケーブル２５、上記水中ケーブル２０を着脱し得るコネクタを有している。
【００４３】
また、上記操作盤２３の操作により、駆動信号（例えば電源オン信号）、停止信号（例えば電源オフ信号）を発し、上記各電動ウインチ１３の駆動開始、駆動停止及び正方向回転、又は逆方向回転を各々制御し得るように構成されている。
【００４４】
上記円形フレーム２には  下方向けて、その全周に亘り生簀用の網（金網）２６が取り付けられており、当該網２６は上記円形フレーム２から円筒形状に下方に垂下した状態となっている。この網２６は、その底面にも同様の網（金網）２６ａが形成され、当該網２６ａにより閉鎖されており、上面２６ｂは通常開口しているが、上記上面２６ｂを網で閉鎖することもできるように構成されている。
【００４５】
図６に示すものは、本発明に係る浮沈式生簀を海上に設置した状態を示す図であり、当該実施形態では、電動ウインチ１３を基本フレーム１０の９０度毎の４か所に均等角度毎に設け、海底２８には上記４つの電動ウインチ１３に対応して４つのアンカー１７を設置し、各電動ウインチ１３と上記各アンカー１３とを４本のワイヤ１６にて接続したものである。
【００４６】
本発明の浮沈式生簀は上述のように構成されるものであるから、次にその動作を説明する。
【００４７】
まず、図４に示すように、基本フレーム１０をフロート１２により海面２７に浮かべて、網２６を海中に垂下した状態で、上記３つの電動ウインチ１３に対応する位置の海底２８の３か所にアンカー１７を載置し、上記各アンカー１７と上記各電動ウインチ１３のワイヤ巻取部１５との間にワイヤ１６を各々接続し、これらのワイヤ１６を同一長さとして上記基本フレーム１０を上記海面２７上に水平に浮かべた状態とする。
【００４８】
各電動ウインチ１３の各接続ケーブル１９に接続された水中ケーブル２０を海面２７又は海中を介して水上中継ボックス２１に接続し、一方、船２２の操作盤２３に接続された接続ケーブル２５を上記水上中継ボックス２１に接続する。この状態において、網２６内において魚類等の養殖を行うことができる。
【００４９】
上記網２６を海中に沈める必要が生じた場合は、上記操作盤２３を操作して、上記各電動ウインチ１３に電源を同時に供給し３台の電動ウインチ１３を正方向に同時に回転駆動すれば良い。
【００５０】
すると、上記３台の各電動ウインチ１３のワイヤ巻取部１５が正方向に同時に同一速度で回転駆動するので、上記３本のワイヤ１６を同時に同一速度で巻き取り開始する。これにより、上記基本フレーム１０は電動ウインチ１３の存在する円周方向の均等の３か所（図６の実施形態では均等の４か所）にて上記各ワイヤ１６が同一速度で均等に巻き取られて行くため、上記基本フレーム１０は、水平状態を保持したまま、各電動ウインチ１３共々各フロート１２の浮力に抗して下方に海中に沈んで行く。
【００５１】
そして、例えば図５に示すように、上記基本フレーム１０の上側の円形フレーム１が海面２７から海中に完全に沈んだ位置において、上記操作盤２３を操作して、上記各電動ウインチ１３の駆動を停止すれば良い。
【００５２】
すると、各電動ウインチ１３の各ワイヤ巻取部１５が同時に停止され、各ワイヤ巻取部１５がロックされて上記各ワイヤ１６の巻き取りが同時に停止する。このとき、３本の上記各ワイヤ１６は同じ長さだけ上記ワイヤ巻取部１５に巻き取られているため、ワイヤ巻取後においても、上記基本フレーム１０は水平状態を維持したまま、図５に示すように海中に沈んだ状態を維持することができる。
【００５３】
このとき、上記基本フレーム１０には上記９個のフロート１２によってその全周に沿って垂直上向きの浮力が均等に作用するが、上記各電動ウインチ１３の各ワイヤ巻取部１５が停止してその回転をロックしているので、上記基本フレーム１０は浮上することなく、図５に示す海中に沈下した状態を維持する。また、上記各電動ウインチ１３及び各ワイヤ１６は基本フレーム１０の水平バランスの取れる１２０度毎の３か所に設けられているので、上記浮力に対する垂直下向きの反力が上記基本フレーム１０に対して均等に作用し、従って、基本フレーム１０は水平状態を維持したまま、海中に沈下した状態を維持することができる。
【００５４】
このように、浮沈式生簀を海中に沈めることにより、魚介類の適性適温の水位に生簀を維持することができ、適切な条件にて養殖を行うことができる。
【００５５】
また、台風時、荒天時等、波浪の激しい天候時等において、一時的に短時間だけ生簀を海中に沈下させることもできる。
【００５６】
また、波、風等の影響の少ない海中に沈下させた状態で魚介類の養殖を行うことができるので、従来不適とされていた波、風の影響が大きい海上（沖合等）での養殖等を可能とすることができる。
【００５７】
また、海面より約３ｍ以下に生簀を沈下させることにより、網に付着するアオサ、藻等の発生を少なくすることができる。
【００５８】
さらに重油等の流出事故、赤潮等（海表面上）が生じても、海中に生簀を沈下させた状態を維持することにより、重油等による被害を少なくすることができる。
【００５９】
また、本発明における浮沈式生簀は船２２上又は陸２２’上から電気的に制御することができるので、図７（ｂ）に示すように本発明に係る浮沈式生簀を海上に複数設置し（図７（ｂ）中複数の浮沈式生簀を符号３５で示す）、船２２上又は陸２２’上にて複数の浮沈式生簀３５，・・・を集中的に浮沈制御することもできる。
【００６０】
図８、図９に示すものは、本発明の浮沈式生簀の他の実施形態である。この浮沈式生簀は、牡蠣３２等の貝類の養殖に使用するものである。この浮沈式生簀は、上記実施形態と基本的構造は同じであるので、対応部分には同一符号を付している。上記実施形体と相違する部分は、基本フレーム１０が方形である点、及び、電動ウインチ１３が基本フレーム（方形フレーム）１０の中央部（重心位置）に１つだけ設けられており、当該電動ウインチ１３に対応する海底にアンカー１７が１つだけ設けられ、上記一つのアンカー１７と上記一つの電動ウインチ１３とが１本のワイヤ１６にて接続されている点である。
【００６１】
また、養殖すべき牡蠣３２は、外周方形フレーム４に沿って複数の紐（貝類養殖用線状体）３１を垂下し、当該紐３１に沿って牡蠣を生育するものである。
【００６２】
また上記基本フレーム１０の外周方形フレーム４の内側には、複数本の支持フレーム２９が平行に配置固定されており、その中央の一対の支持フレーム２９，２９間に固定底板１３’が固定されており、当該固定底板１３’上に上記電動ウインチ１３が固定されており、上記ワイヤ１６は上記固定底板１３’に設けられた開口１３”から下方向けて垂下されている。尚、図８中３０，３０は、上記支持フレーム２９，２９間に直交して設けられた上記固定底板１３’の支持部材である。
【００６３】
上記電動ウインチ１３の駆動制御構成は上記実施形態と同様であり、上記船２２上又は陸２２’上の制御室２２”の操作盤２３から接続ケーブル２５、水上中継ボックス２１、水中ケーブル２０等を介して上記電動ウインチ１３が上記発電機２４に接続されている。そして、上記操作盤２３によって上記電動ウインチ１３の駆動停止の制御を行う。
【００６４】
かかる実施形態の浮沈式生簀においても、上記電動ウインチ１３を正逆回転駆動することにより、当該生簀を海中に沈下することができ、上記の実施形態と同様の効果を得ることができる。このとき、上記電動ウインチ１３は基本フレーム１０の重心位置に位置しているので、沈下するとき基本フレーム１０は、フロート１２の浮力に抗して水平状態を維持しながらバランスよく沈下させることができるし、電動ウインチ１３を逆回転させることで、基本フレーム１０の水平状態を維持しながら上記フロート１２の浮力によってバランス良く浮上させることができる。
【００６５】
また、この実施形態によると、電動ウインチ１３、ワイヤ１６、アンカー１７は各１つで良いため、簡単な構造であるし、少ない電力で浮沈式生簀を実現することができる。
【００６６】
尚、図２の実施形態において網２６に代えて貝類養殖用線状体３１を用いても良いし、図９の実施形態において紐３１に代えて円筒状の網２６を用いても良い。
【００６７】
本発明は上述のように、電動ウインチ１３（ワイヤ巻取機）を正方向に駆動することにより、例えば海面上に浮かぶ浮沈式生簀（網２６又は紐３１）をフロート１２の浮力に抗して電動ウインチ１３共々海中に円滑に沈下させることができるし、電動ウインチ１３を逆方向に駆動することにより、上記各フロート１２の浮力によって網２６又は紐３１を浮上させることができ、液体或いは気体による浮力調整を行うことなく、簡単な構造により生簀を円滑に浮沈させることができる。
【００６８】
また、電気的な制御により、遠隔地（船２２又は陸２２’上）から電動ウインチ１３を駆動制御することができ、例えば複数の浮沈式生簀を海上に設けて、これらの複数の浮沈式生簀を一括して浮沈制御する等の集中制御を行うこともできる。
【００６９】
また、液体或いは気体による浮力調整を行うことなく浮沈式生簀を円滑に浮沈させることができるし、単一の電動ウインチ１３によって浮沈式生簀の浮沈が可能であるので、構造をさらに簡略化することができる。
【００７０】
また、例えば船２２上の発電機２４と海上に浮上する電動ウインチ１３との電気的接続を水上中継ボックス２１を介して容易に行うことができる。
【産業上の利用可能性】
【００７１】
本発明に係る浮沈式生簀によると、天候、海水温度、海流等に左右されずに設置が可能であるため、養殖すべき魚介類にとって最適な環境に浮沈式生簀を設置することができるものである。
【符号の説明】
【００７２】
１０            基本フレーム
１２            フロート
１３            電動ウインチ
１６            ワイヤ
１７            アンカー
１９            接続ケーブル
２０            水中ケーブル
２１            水上中継ボックス
２２            船
２２’          陸
２３            操作盤
２４            発電機
２５            接続ケーブル
２６            網
２８            海底
２９            支持フレーム
３１            紐
【図１】
2014082997.tif 000003
【図２】
2014082997.tif 000004
【図３】
2014082997.tif 000005
【図４】
2014082997.tif 000006
【図５】
2014082997.tif 000007
【図６】
2014082997.tif 000008
【図７】
2014082997.tif 000009
【図８】
2014082997.tif 000010
【図９】
2014082997.tif 000011